(57)【要約】【課題】  糸ハンダ供給装置を取り付けたハンダごての使用する状況によって、糸ハンダを供給する先端ノズルを一時的にこて先のチップから退避させたり、装置自体をハンダごてと着脱可能な糸ハンダ供給装置を提供することを目的とする。【解決手段】  ハンダ供給部３０を、支持パイプ１４を軸に回転できる機構にすることにより、レバー１０を引くことで先端ノズル３を上方へ動かせるようにする。また離すとバネの力で元の糸ハンダを供給する位置へと戻る。そして、装置全体は本体取付部品１２で支持し、柄９に固定したベース１１と簡易に着脱可能な機構にすることで普通のハンダごてとしても使用できる。【選択図】図１
2011088208.tif 000002
【特許請求の範囲】
【請求項１】
ハンダごてに装着された、または装着して使用される糸ハンダ供給装置において、該糸ハンダ供給装置は糸ハンダを送り出す機構と該送り出された糸ハンダをこて先へ導く管状部材と操作子とを具え、前記操作子を操作して、前記管状部材を前記ハンダごてに対し、所定の軸を中心に回転させることにより、糸ハンダをこて先から退避可能に配置したことを特徴とする糸ハンダ供給装置。
【請求項２】
前記ハンダごての柄と一体に構成されたベース、または該ハンダごての柄に取り付けられたベース部品に対し着脱自在に装着されることを特徴とする請求項１記載の糸ハンダ供給装置。
【発明の詳細な説明】
【技術分野】
【０００１】  本発明は一般的に使用されている棒形のハンダごて、鉄砲型のハンダごて等のこて先のチップに糸ハンダを供給する装置の機構に関するものである。
【背景技術】
【０００２】  従来、ハンダごてでのハンダ付け作業においては糸ハンダを手で供給していた。片手で糸ハンダを持ち、もう片手でこてを握るため、ただハンダづけをする作業においては問題ないが、基盤への不安定な部品のハンダ付けや配線の取り付けなどの作業においては特に工夫が必要であった。【０００３】  その場合は、基盤に部品を手で固定したまま、その手でハンダを供給したり、何か道具で部品を固定してハンダ付け作業を行うなど、非常にやりにくい場合や、ハンダ付けに一手間も二手間もかかってしまうことがある。【０００４】  そのために、その不便さを解消するため手動で糸ハンダを供給するハンダごてはいくつも提案されている。（例えば、特許文献１、特許文献２、特許文献３  参照）
【先行技術文献】
【特許文献】
【０００５】
【特許文献１】特開２００４−１３０３４０
【特許文献２】実公平０６−０２７２５９
【特許文献３】実開平０１−８９８６８
【発明の概要】
【発明が解決しようとする課題】
【０００６】  しかしながら、今まで考えられている手動で糸ハンダを供給するハンダごては、ハンダを導くガイド、供給ノズル等の位置が、全てこてに対して固定の為、時には供給ノズルやそれから出ている糸ハンダが作業のじゃまになってしまったり、一般のこて台が使用できなかったり（こて先を差し込むこて台の筒にガイドや供給ノズルが入らない為）という問題点がある。【０００７】  また、ハンダ送り装置とハンダごての位置関係が固定である為、長時間手動で糸ハンダを供給する作業が必要ない場合でもハンダ送り装置を取り外すことができず、重量や使い勝手の面で、複数のこて（ハンダ送り装置の付いているものと付いていないもの）を使い分けなければいけない状況が出てくる場合がある。【０００８】  そこで本発明は従来の問題点を除去した手動糸ハンダ供給装置の機構を提供することを目的とする。
【課題を解決するための手段】
【０００９】  上記課題を解決する為、以下のような特徴を有する。【００１０】  請求項１に記載の発明は、ハンダごてに装着された、または装着して使用される糸ハンダ供給装置において、該糸ハンダ供給装置は糸ハンダを送り出す機構と該送り出された糸ハンダをこて先へ導く管状部材と操作子とを具え、前記操作子を操作して、前記管状部材を前記ハンダごてに対し、所定の軸を中心に回転させることにより、糸ハンダをこて先から退避可能に配置したことを特徴とする。【００１１】  請求項２に記載の発明は、請求項１の糸ハンダ供給装置が、前記ハンダごての柄と一体に構成されたベース、または該ハンダごての柄に取り付けられたベース部品に対し着脱自在に装着されることを特徴とする。
【発明の効果】
【００１２】  本発明の糸ハンダ供給装置の機構によれば、ハンダによる部品の仮付けや、先端ノズルがこて先のそばにあっても特に作業に支障が無い場合の本付けにおいては、ハンダごてを持つ一方の手で糸ハンダも供給できるので他方の手で部品を支えることができる。【００１３】  また、先端ノズルがこて先のそばにあると他の部品に当たったり邪魔になるような狭いところでのハンダ付け作業や、一般のこて台にハンダごてを差し込む時や、こて先を掃除する場合などには、レバー等の操作子を操作することにより先端ノズルを一時的にこて先のチップから退避でき、それらの作業を問題なく行うことができる。【００１４】  さらに手動による供給が必要ない場合は、糸ハンダ供給装置をハンダごてから取り外すことで一般のハンダごてとして使用できるため、本発明により１本のハンダごてで各作業内容に合わせた使い方ができる。
【図面の簡単な説明】
【００１５】
【図１】ハンダごてを含む糸ハンダ供給装置全体の前方からの斜視図である。
【図２】糸ハンダ供給装置の供給機構の解体図である。
【図３】ハンダごてを含む糸ハンダ供給装置全体の後方からの斜視図である。
【図４】ハンダごてを含む糸ハンダ供給装置全体の側面図である。
【図５】糸ハンダを供給する状態での糸ハンダ供給装置の平面図である。
【図６】図５のＡ−Ａ断面図である。
【図７】糸ハンダをハンダごてから退避させた状態で、図６と同じ位置で切断した断面図である。
【図８】ハンダごてから糸ハンダ供給装置を外した状態を示した斜視図である。
【発明を実施するための形態】
【００１６】  本発明の実施例を図面に基づいて説明する。ただし図では棒形のハンダごてを例にとって説明していくが、この発明のハンダ供給装置は鉄砲型のハンダごてに装着可能に構成することも可能である。
【００１７】  図１に示すようにハンダごての柄９にベース１１がしっかりと固定されている。そのベース１１の溝１１ａに本体取付部品１２のレール１２ａを上方からスライドさせてはめ込むことにより、本体取付部品１２はベース１１に取り付けられている。ベース１１と本体取付部品１２は先端ノズル３の位置が安定するように精度よく、脱着可能な構造とする。本体取付部品１２をベース１１に装着した後に、本体取付部品１２がベース１１に対し動かないようにする為に両者をネジ、バネ、等で押さえつけることもできる。
【００１８】  本体取付部品１２には支持パイプ１４が締付けボルト２２で固定され、角度調整部品１５は支持パイプ１４にストッパーボルト２０で固定されている。支持パイプ１４の中には送りローラー１３の回転を歯車６へと伝えるシャフト１８（図２参照）が回転自在に通っている。
【００１９】  支持パイプ１４はハンダ供給部フレーム５に通されている。ハンダ供給部フレーム５はＥリング１７（図２参照）と角度調整部品１５にガタ無く挟まれており、支持パイプ１４を軸としてハンダごての柄９に対して回転する構造になっている。すなわち、本体取付部品１２、角度調整部品１５、支持パイプ１４はハンダごてに対し位置が固定であり、ハンダ供給部フレーム５は、角度調整部品１５及び支持パイプ１４に対して摺動回転して、支持パイプ１４を軸としてハンダごてに対して回転自在とされている。
【００２０】  糸ハンダ２はハンダ供給部フレーム５の穴を通り、押さえバネ８の力で付勢された押さえバー７に当接して歯車６に押さえつけられている。従って、送りローラー１３をハンダごての柄を持った手の人指し指で回すことにより歯車６が回転し、糸ハンダ２を先端ノズル３へ送り出す構造になっている。
【００２１】  図２はハンダ供給部３０をわかりやすく解体した状態を示す。
【００２２】  図３に示すようにベース１１が柄９の一部として一体化されていない場合は、ベース１１はインシュロック等の締め付け部品１９で柄９に固定されている。
【００２３】  図４に示すようにハンダごての柄９を持った手の人指し指で、レバー１０を柄９の後方（手前）に引くことにより、ハンダ供給部３０が支持パイプ１４を軸に回転することで先端ノズル３をこて先１から退避させることができる。レバー１０を離すともどりバネ１６（図６、図７参照）の力で元の糸ハンダをこて先に供給するときの状態に戻る。
【００２４】  図５の平面図に、図６と図７で表した断面図の切断位置を示す。
【００２５】  図６は糸ハンダを供給する時の状態を示す。ハンダ供給部フレーム５に取り付けられた位置決めボルト２１は支持パイプ１４に固定された角度調整部品１５のストッパーボルト２０に、もどりバネ１６の力で押さえつけられている。それによりハンダ供給部フレーム５はその位置で安定し、先端ノズル３は糸ハンダ２をこて先１へ供給できる状態になる。
【００２６】  図７は先端ノズル３をこて先１から退避させた時の状態を示す。レバー１０を指で矢印方向へ引っ張ることにより、ハンダ供給部３０の位置決めボルト２１はもどりバネ１６を押し、ハンダ供給部フレーム５は支持パイプ１４を軸に回転する。レバー１０を引っ張ることをやめることによりもどりバネ１６の力でハンダ供給部フレーム５は図６で表した形態に戻る。
【００２７】  図８にはハンダ供給装置をハンダごてから取り外した状態を示す。本体取付部品１２をベース１１に対して引き上げることにより、溝１１ａとレール１２ａのはめ合いが外れて、糸ハンダ供給装置はハンダごてから取り外される。
【００２８】  なお前記実施例では、糸ハンダ供給装置をハンダごてに対して取り外し可能とした場合について説明したが、この発明の糸ハンダ供給装置は、ハンダごてに予め固定的に装着されていて取り外し不能に構成することもできる。
【符号の説明】
【００２９】１  こて先                  ２  糸ハンダ                  ３  先端ノズル
４  導管                    ５  ハンダ供給部フレーム      ６  歯車
７  押さえバー              ８  押さえバネ                ９  柄
１０  レバー（操作子）      １１  ベース                  １２  本体取付部品
１３  送りローラー          １４  支持パイプ              １５  角度調整部品
１６  もどりバネ            １７  Ｅリング                １８  シャフト
１９  締付け部品            ２０  ストッパーボルト        ２１  位置決めボルト
２２  締付けボルト          ３０  糸ハンダ供給部
【図１】
2011088208.tif 000003
【図２】
2011088208.tif 000004
【図３】
2011088208.tif 000005
【図４】
2011088208.tif 000006
【図５】
2011088208.tif 000007
【図６】
2011088208.tif 000008
【図７】
2011088208.tif 000009
【図８】
2011088208.tif 000010